(57)【特許請求の範囲】
【請求項１】
平板状のシャーシと、
このシャーシの周面に裏面側が接触し、前記シャーシに対して立ち上がった状態に配置されたパネルと、
前記シャーシと前記パネルとを結合する結合手段とを、
具備する筐体において、前記結合手段は、
前記シャーシの上面から立ち上がり、前記パネルに対して非平行に配置された固定壁と、
この固定壁に挿通固定され、先端部が前記固定壁から前記パネルの裏面側の前記シャーシの上方に突出している棒状部と、
前記パネルの裏面側から前記棒状部を超えて前記シャーシの上面の上方に伸延し、前記棒状部が侵入する切り欠き部を有する拘束部とを、
具備し、前記切り欠き部は、前記パネルがそれの表裏方向に移動しようとしたとき、前記棒状部に接触する接触面と、前記パネルが前記棒状部の長さ方向に沿って前記棒状部の先端部側に移動しようとしたとき、前記棒状部の先端部に接触する内奥部とを、有している
筐体。
【請求項２】
請求項１記載の筐体において、前記拘束部は、前記シャーシの上方において前記シャーシの上面に平行な上面を有し、この上面に接触する当接部が前記シャーシの上面よりも上方に位置するように前記シャーシに設けられている筐体。
【請求項３】
請求項1記載の筐体において、前記固定壁は、前記シャーシの周縁部に形成され、前記棒状部は、ネジであり、かつ前記シャーシを覆い前記固定壁の外部に位置するケースの側壁を貫通して、前記固定壁に前記ケースを結合している筐体。
【請求項４】
請求項1記載の筐体において、前記固定壁は、前記シャーシの周縁部に形成され、前記拘束部は、前記パネルの下方側に位置し、前記パネルの裏面側の上方側に前記シャーシの上面にほぼ平行な第１取付部が設けられ、前記固定壁は、第１取付部と面接触する前記シャーシにほぼ平行な第２取付部を有し、第１及び第２取付部が、両者を貫通して、先端部が前記シャーシ側を向くネジによって結合されている筐体。
【請求項５】
平板状のシャーシと、
このシャーシの対向する２つの側縁にそれぞれ設けられた固定壁と、
前記シャーシの前記対向する２つの側縁と直交する２つの側縁のうち一方に配置されたパネルと、
このパネルの裏面側に前記シャーシと接近して前記パネルと一体に形成された切り込み形成部に、前記各固定壁を向いて開口した２つの切り欠き部と、
前記各固定壁に挿通固定され、先端部がそれぞれ前記切り欠き部に侵入している２つの棒状部とを、
具備し、前記各切り欠き部が、前記パネルの表裏方向への前記棒状部の移動時に前記棒状部に接触して移動を拘束するように前記棒状部の前記パネルの表裏方向の両側に設けられた接触面と、前記各棒状部の先端部よりも奥側に設けられ前記パネルの前記棒状部の長さ方向への前記パネルの移動時に前記棒状部の先端部が接触して移動を拘束する内奥部とを、有し、さらに、
前記パネルの裏面側の上方における前記各固定壁の近傍に位置するように前記パネルの裏面に前記シャーシにほぼ平行に形成された第１の取付部と、
前記各固定壁に、第１の取付部にそれぞれ面接触するように前記シャーシにほぼ平行に形成された第２の取付部と、
第１及び第２の取付部に、その上方から挿通され、両者を結合しているネジとを、
具備する筐体。
【請求項６】
請求項５記載の筐体において、前記棒状部材は、ネジであり、前記各固定壁に、前記シャーシを覆うケースを固定している筐体。
【発明の詳細な説明】
【０００１】
【発明の属する技術分野】
本発明は、例えば電気機器や電子機器の筐体に関し、特にパネルとシャーシとを有する筐体に関する。
【０００２】
【従来の技術】
従来、筐体には、シャーシにパネルを取り付け、このシャーシとパネルとの結合体にケースを取り付けたものがある。この筐体の一例を図６に示す。この筐体では、シャーシ２、パネル４、パネルシャーシ６及びケース８からなる。シャーシ２は例えば矩形に形成された平板状のもので、その両側に側壁２ａを有している。シャーシ２の一端部に側壁２ａ間に跨るように、パネル４が取り付けられている。パネル４は、縦断面形状がコ字状に形成され、その底面側のリブ４ａとシャーシ２の先端部とが面接触している。リブ４ａに下方から挿入されたネジ１０によってリブ４ａとシャーシ２とが結合されている。パネルシャーシ６も、底面側にリブ６ａを、上面側にリブ６ｂを有し、これらは互いに反対方向に突出している。底面側のリブ６ａはシャーシ２に接触し、上面側のリブ６ｂは、パネル４の上面側リブ４ｂと接触している。上面側から挿入されたネジ１２によってリブ４ｂ、６ｂが結合されている。ケース８は、シャーシ２、パネル４及びパネルシャーシ６の上面を覆い、その両側からシャーシ２に向かって側壁８ａが伸延している。この側壁８ａはシャーシ２の側壁２ａと接触している。側壁８ａの外方から挿入されたネジ１４によって、側壁２ａ、８ａが結合されている。
【０００３】
この筐体を組み立てる際、まず、パネルシャーシ６のリブ６ａとパネル４のリブ４ａとをネジ１２によって結合する。パネルシャーシ６に結合されたパネル４と、シャーシ２とを裏返し、ネジ１０によってパネル４とシャーシ２とを結合する。その後、再び裏返して、ケース８を被せて、ケース８の側壁８ａと、シャーシ２の側壁２ａとをネジ１４によって結合する。
【０００４】
【発明が解決しようとする課題】
しかし、この筐体では、組立の際に、複数回にわたってシャーシ２等を裏返さなければならず、この裏返し工程には腕力と時間とを要し、作業能率が悪かった。しかも、パネル４とシャーシ２との取付と、シャーシ２とケース８との取付は、別個に行わなければならず、この点からも作業能率が悪かった。また、シャーシ２とパネル４との取付と、シャーシ２とケース８との取付とには、それぞれ別個のネジを使用しているので、ネジ止め箇所が多く、この点からも作業能率が悪かった。
【０００５】
本発明は、組立の作業能率を向上させることができる筐体を提供することを目的とする。
【０００６】
【課題を解決するための手段】
本発明による筐体は、平板状のシャーシを有している。シャーシの形状としては、矩形のものや多角形上等の種々のものを使用できる。このシャーシの周面にパネルの裏面側が接触し、かつパネルは、前記シャーシに対して立ち上がった状態に配置されている。シャーシとパネルとが結合手段によって結合されている。結合手段では、固定壁が、シャーシの上面から立ち上がり、パネルに対して非平行に配置されている。この固定壁に棒状部が挿通固定され、棒状部の先端部が固定壁からパネルの裏面側の前記シャーシの上方に突出している。パネルの裏面側から、拘束部が棒状部を超えてシャーシの上面の上方に伸延している。拘束部は、棒状部が侵入する切り欠き部を有している。切り欠き部は、パネルがそれの表裏方向に移動しようとしたとき、棒状部に接触する接触面と、パネルが棒状部の長さ方向に沿って棒状部の先端部側に移動しようとしたとき、棒状部の先端部に接触する内奥部とを、有している。
【０００７】
さらに、前記拘束部は、前記シャーシの上方において前記シャーシの上面に平行な上面を有するものにできる。この場合、拘束部の上面に接触する当接部が前記シャーシの上面よりも上方に位置するように前記シャーシに設けられている。当接部とシャーシとの間隔は、それぞれにほぼ拘束部が接触するように選択することが望ましい。
【０００８】
さらに、前記拘束部は、前記シャーシに平行な上面を有するものにできる。この場合、拘束部の上面に接触する当接部を前記シャーシが有している。当接部とシャーシとの間隔は、それぞれにほぼ拘束部が接触するように選択することが望ましい。
【０００９】
このように構成した場合、拘束部は、シャーシと当接部との間に位置し、拘束部が設けられているパネルの上下方向への移動が拘束される。従って、パネルは、その上下及び表裏方向への移動が拘束され、シャーシに固定されている。この作業を行うために必要な作業は、拘束部をシャーシと当接部との間に挿入することと、切り欠き部内に棒状部が侵入するように拘束部に棒状部を挿通固定することだけであり、シャーシ等を裏返したりする必要がなく、作業能率を向上させることができる。
【００１０】
或いは、前記固定壁を、前記シャーシの周縁部に形成することができる。この場合、棒状部は、ネジであり、このネジは、シャーシを覆うケースの固定壁の外側に位置する側壁を貫通して、前記固定壁に前記ケースを結合する。
【００１１】
このように構成した場合、共通のネジによって、ケースのシャーシへの結合と、パネルのシャーシへの結合とを同時に行うことができ、作業能率を向上させることができる上に、必要な部品点数を減少させることができる。この場合、上記のようにシャーシに当接部を設け、この当接部とシャーシとの間に、拘束部を位置させて、パネルの上下方向への移動を拘束すればより堅固にパネルとシャーシとを結合できる。
【００１２】
或いは、固定壁を上記のように前記シャーシの周縁部に形成し、棒状部をシャーシの上面側に先端部が位置するように配置することもできる。即ち、シャーシの周囲からシャーシの上方に先端部が位置するように配置する。この場合、拘束部は、パネルの下方側、即ちシャーシに接近した位置に位置し、パネルの裏面側の上方側に、シャーシの上面にほぼ平行な第１取付部が設けられる。固定壁には、第１取付部と面接触する第２取付部が設けられている。この第２取付部は、シャーシにほぼ平行である。第１及び第２の取付部が、両者を貫通して、先端部がシャーシ側を向く、第２のネジによって結合されている。
【００１３】
このように構成した場合、棒状部と切り欠き部とによってパネルの表裏方向への移動が拘束されている上に、ネジによって第１及び第２取付部を結合しているので、パネルの上下方向への移動を拘束している。従って、パネルをシャーシに結合することができる。しかも、この結合は、棒状部をシャーシの周面から拘束部に挿通固定する作業と、第１及び第２の取付部にその上方からネジを挿通する作業とによって行え、シャーシ等を裏返す必要性がなく、作業能率を向上させることができる。なお、棒状部をネジとし、上述したのと同様に、このネジをケースの側壁を貫通して固定壁に結合すれば、ケースのシャーシへの固定と、パネルの表裏方向への移動の拘束とを共通のネジによって行え、部品点数を減少させることができる。
【００１４】
また、本発明による筐体では、平板状のシャーシの対向する２つの側縁にそれぞえ固定壁が設けられている。前記シャーシの前記対向する２つの側縁と直交する２つの側縁のうち一方にパネルが配置されている。このパネルの裏面側に前記シャーシと接近して前記パネルと一体に形成された切り込み形成部に、前記各固定壁を向いて２つの切り欠き部が開口している。前記各固定壁に２つの棒状部が挿通固定され、先端部がそれぞれ前記切り欠き部に侵入している。前記各切り欠き部が、前記パネルの表裏方向への前記棒状部の移動時に前記棒状部に接触して移動を拘束するように前記棒状部の前記パネルの表裏方向の両側に設けられた接触面と、前記各棒状部材の先端部よりも奥側に設けられ前記パネルの前記棒状部材の長さ方向への前記パネルの移動時に前記棒状部の先端部が接触して移動を拘束する内奥部とを、有している。前記パネルの裏面側の上方における前記各固定壁の近傍に位置するように、第１の取付部が前記パネルの裏面に前記シャーシにほぼ平行に形成されている。前記各固定壁に、第１の取付部にそれぞれ面接触するように前記シャーシにほぼ平行に第２の取付部が形成されている。第１及び第２の取付部に、その上方からネジが挿通され、両者を結合している。
【００１５】
このように構成した筐体では、棒状部と切り欠き部とがパネルの表裏方向の移動を拘束し、第１及び第２の取付部とネジとがパネルの上下方向の移動を拘束している。また、パネルの長さ方向への移動は、２つの棒状部が拘束している。従って、パネルとシャーシとが確実に結合されている。この結合は、シャーシの周縁からの棒状部の挿通と、ネジによる第１及び第２の取付部の結合だけであるので、シャーシ等を裏返す必要が無く、作業能率が向上する。
【００１６】
前記棒状部は、ネジとすることができる。この場合、ネジは、前記各固定壁に、前記シャーシを覆うケースを固定する。
【００１７】
このように構成した場合、棒状部であるネジがケースのシャーシへの結合も行うので、作業能率が更に向上する上に、部品点数が減少する。
【００１８】
【発明の実施の形態】
本発明の１実施の形態の筐体は、図１に示すように、シャーシ２０、パネル２２及びケース２４を有している。
【００１９】
シャーシ２０は、例えば金属または合成樹脂製で、概略長方形状に形成された平板状のものである。このシャーシ２０は、上面と下面とを有し、その周面として対向する２つの側面と、これら側面と直交し互いに対向する２つの端面とを、有している。これら側面全域に、シャーシ２０の上面と所定の角度、例えば９０度をなすように固定壁、例えば側壁２０ａ、２０ａが形成されている。側壁２０ａ、２０ｂはほぼ矩形に形成されている。
【００２０】
シャーシ２０の２つの端面のうち一方側に、パネル２２が配置されている。パネル２２は、例えば合成樹脂製の矩形の平板状のもので、その下端部がシャーシ２０の一端面に接触している。パネル２２は、シャーシ２０の端面の長さ寸法にほぼ等しい長さ寸法を有し、高さ寸法は側壁２０ａ、２０ａの高さ寸法よりも若干長い。パネル２２のシャーシ２０側の面である裏面の下方には、拘束部または切り欠き形成部、例えばリブ２２ａが形成されている。また、パネル２２の裏面の上方には、リブ２２ａと高さ方向に間隔をあけて、リブ２２ａと平行に、第１の取付部、例えばリブ２２ｂが形成されている。これらリブ２２ａ、２２ｂは扁平な直方体状に形成されている。これらリブ２２ａ、２２ｂは、パネル２２と一体に形成された押し出し材である。
【００２１】
図２に示すように、パネル２２の裏面をシャーシ２０の端面に接触させた状態で、リブ２２ａの下面がシャーシ２０の上面に接触するように、リブ２２ａは、その高さ位置が設定されている。図３に示すように、リブ２２ａの両端面は、シャーシ２０の側壁２０ａ、２０ａの近傍で、側壁２０ａ、２０ａと対向している。これら端面から、リブ２２ａの内側に向かって、上下方向に貫通した矩形の切り欠き部２６、２６が、それぞれ形成されている。これら切り欠き部２６、２６は、側壁２０ａ、２０ａを向いている面が開口している。
【００２２】
これら切り欠き部２６、２６に対応する側壁２０ａ、２０ａには、棒状部挿通孔、例えばネジ孔２８、２８が形成されている。これらネジ孔２８、２８には、図３に拡大して示すように、棒状部材、例えばネジ３０、３０が螺合し、その先端部が、切り欠き部２６、２６内に侵入する。切り欠き部２６、２６は、ネジ３０、３０の両側に、ネジ３０、３０と微少な間隔をおいて接触面２６ａ、２６ａを有している。従って、パネル２２がその表裏方向に移動しようとしても、接触面２６ａ、２６ａがネジ３０に接触し、それ以上の移動を拘束する。また、パネル２２の長さ方向に移動しようとしても、いずれかのネジ３０の先端部に、切り欠き部２６の内奥部２６ｂが接触し、パネル２２の長さ方向への移動を拘束する。
【００２３】
図１に示すようにシャーシ２０の上面のパネル２２と接触する端面側には、その端面の長さ方向に間隔をおいて、複数の当接部３２、３２が形成されている。これら当接部３２、３２は、図２に示すように、シャーシ２０の上面に平行に形成され、結合部３２ａ、３２ａによってシャーシ２０に結合されている。３４、３４は、これら当接部及び結合部３２ａ、３２ａを切り起こしによって形成する際に、シャーシ２０を切断したことによって形成された開口である。これら当接部３２、３２は、それらの下面とシャーシ２０の上面とに、リブ２２ａの上面と下面とがそれぞれ接触する高さ位置に形成されている。
【００２４】
このように当接部３２、３２とシャーシ２０との間にリブ２２ａが挿入されることによって、パネル２２の上方向への移動は当接部３２、３２によって、下方向への移動はシャーシ２０によって拘束されている。しかし、パネル２２は、その長さ方向に沿っては移動可能である。従って、パネル２２をシャーシ２０に仮止めするのに、当接部３２、３２を使用することができる。
【００２５】
リブ２２ｂは、シャーシ２０の上面と平行であり、それの両端部には、上下方向に貫通したネジ孔３６、３６がそれぞれ形成されている。また、側壁２０ａ、２０ａのパネル２２側の上端部にも、シャーシ２０と平行に第２の取付部、例えば平板状部３８、３８が形成されている。これら平板状部３８、３８は、シャーシ２０上にせり出すように配置され、さらに、図２に示すように、パネル２２をシャーシ２０の端面に接触させた状態において、リブ２２ｂの上面に面接触するような高さ位置に配置されている。これら平板状部３８、３８には、図１に示すように、上下方向に貫通したネジ挿通孔４０、４０が形成されている。
【００２６】
パネル２２がシャーシ２０に接触した状態において、ネジ挿通孔４０、４０に挿通された図２に示すネジ４２、４２がネジ孔３６、３６に螺合して、シャーシ２０の上下方向への移動を拘束している。
【００２７】
ケース２４は、金属また合成樹脂製で、シャーシ２０の上方を覆うことが可能な、例えば矩形の平板状部２４ａを有し、その両側縁全域から下方に伸延した側壁２４ｂ、２４ｂを有している。平板状部２４ａがシャーシ２０の上方に位置するとき、これら側壁２４ｂ、２４ｂが、シャーシ２０の側壁２０ａ、２０ａの外面側に接触している。これら側壁２４ｂ、２４ｂでは、シャーシ２０の側壁２０ａ、２０ａのネジ孔２８、２８に対応する位置に、ネジ挿通孔４４、４４が形成されている。上述したネジ３０、３０は、このネジ挿通孔４４、４４を通ってネジ孔２８に螺合し、その先端部が切り欠き部２６に侵入している。
【００２８】
また、側壁２４ｂ、２４ｂにおけるネジ挿通孔４４、４４の上方の位置にも、ネジ挿通孔４６、４６が設けられている。これらネジ挿通孔４６、４６に対応させて、シャーシ２０の側壁２０ａ、２０ａには、ネジ孔４８、４８が形成されている。図５に示すネジ５０がネジ挿通孔４６、４６を通ってネジ孔４８、４８に螺合している。ネジ３０、５０によってケース２４の側壁２４ｂ、２４ｂがシャーシ２０の側壁２０ａ、２０ａに結合されている。
【００２９】
このように構成された筐体は、例えば次のようにして組み立てられる。図４に示すように、パネル２２をシャーシ２０の端面に接触させると共に、パネル２２のリブ２２ａを、当接部３２とシャーシ２０との間に挿通する。その後に、パネル２２をその長さ方向に適当に移動させて、リブ２２ｂの上面に平板状部３８を面接触させる。この状態で、ネジ４２、４２を平板状部３８のネジ挿通孔に上方から挿通し、リブ２２ｂのネジ孔３６に螺合させる。これによってパネル２２のシャーシ２０に対する上下方向の移動は拘束される。
【００３０】
次に、図５に示すようにケース２４をシャーシ２０の上方から被せ、ケース２４の側壁２４ａをシャーシ２０の側壁２０ａ、２０ａの外側に接触させる。その後、ケース２４の側壁２４ｂのネジ挿通孔４４、４６をシャーシ２０の側壁２０ａのネジ孔２８、４８に一致させる。ネジ挿通孔４４、４６にシャーシ２０の側方からネジ３０、５０を挿通し、ネジ孔２８、４８に螺合させる。これによって、ケース２４がシャーシ２０に固定される。同時に、ネジ３０、３０の先端部が切り欠き部２６内に侵入しているので、パネル２２のシャーシ２０に対する表裏方向の移動が拘束される。既に、ネジ４２、４２、リブ２２ｂ、平板状部３８等によってパネル２２の上下方向への移動が拘束され、今またネジ３０、３０、切り欠き部２６等によってパネル２２の表裏方向、パネル２２の長さ方向への移動が拘束された。これによって、シャーシ２０に対してパネル２２が固定された。
【００３１】
このように、この筐体を組み立てる際、筐体の上方からネジ４２、４２を螺合させる作業と、筐体の側方からネジ３０、５０を螺合させる作業だけを行えばよく、シャーシ２０等を裏返したりする作業が不要である。従って、効率よく、組立を行える。しかも、シャーシ２０に対してケース２４を固定する作業と、シャーシ２０に対してパネル２２の表裏方向や長さ方向への移動を拘束するための作業とが、ネジ３０、３０の螺合という１つの作業によって同時に行える。さらに、この作業には、共通のネジ３０、３０を使用しているので、筐体を組み立てる際に必要な部品数が減少している。
【００３２】
上記の実施の形態では、ケース２４とシャーシ２０との固定と、パネル２２のシャーシ２０に対する移動拘束とを、共通のネジ３０によって行っている。しかし、これらを別々に行うこともできる。この場合、例えば、切り欠き部２６にはネジ３０を挿入する必要はなく、適当な方法で側壁２０ａに固定した棒状体を切り欠き部２６内に挿入すればよい。この場合、さらにシャーシ２０の側縁にある側壁２０ａに代えて、棒状体を固定できる固定壁をシャーシ２０の上面における側縁よりも内側の位置に設けてもよい。この場合、リブ２２ａの長さ寸法は、固定壁の設置位置に応じた短い長さとなる。
【００３３】
また、リブ２２ａの両端に切り欠き部２６、２６を形成したが、リブ２２ａの中央部を除去した形状の２つのリブを形成し、それらの固定壁、実施形態で言えば側壁２０ａ、２０ａと対向している端面に切り欠き部を形成すればよい。また、上記の実施の形態では、リブ２２ｂに設けたネジ孔３６、平板状部３８等を利用して、パネル２２の上下方向の移動を拘束したが、リブ２２ａと当接部３２とを密に接触させるようにすれば、リブ２２ｂ、ネジ孔３６、平板状部３８等は不要である。逆に、当接部３２を除去して、リブ２２ｂ、ネジ孔３６、平板状部３８等のみによってパネル２２の上下方向の移動を拘束するように構成することもできる。また、リブ２２ｂも、その中央部を除去した形状の２つのリブに置換することもできる。その場合、各リブにはネジ孔３６を形成する。
【００３４】
上記の実施の形態では、シャーシ２０には矩形のものを使用したが、周面のいずれかでパネルと接触可能なものであれば、他の形状のものを使用することもできる。また、パネル２２も矩形の平板状のものに限ったものではなく、シャーシ２０の周面のいずれかに接触可能な形状のものであれば種々の形状のものを使用できる。
【００３５】
【発明の効果】
以上のように、本発明によれば、シャーシとパネルとを結合する際に、筐体を裏返したりする作業が不要で、筐体の組立作業能率を向上させることができる。さらに、本発明によれば、ケースとシャーシとの結合と、シャーシとパネルとの結合に共通の部品を使用することもでき、部品点数を減少させることもできる。
【図面の簡単な説明】
【図１】本発明の１実施形態の筐体の組み立て図である。
【図２】図１の筐体を組み立てた状態での部分省略縦断面図である。
【図３】図１の筐体を組み立てた状態での部分省略横断面図である。
【図４】図１の筐体の組立途中を示す部分省略斜視図である。
【図５】図１の筐体の組み立てた状態の部分省略斜視図である。
【図６】従来の筐体の部分省略縦断面図である。
【符号の説明】
２０  シャーシ
２０ａ  シャーシの側壁（固定壁）
２２  パネル
２２ａ  パネルのリブ（拘束部、切り欠き形成部）
２２ｂ  パネルのリブ（第１の取付部）
２４  ケース
２４ｂ  ケースの側壁
２６  切り欠き部
２６ａ  接触面
３０  ネジ（棒状部材）
３２  当接部
３８  平板状部（第２取付部）
４２  ネジ
【図１】
0004380950.tif 000002
【図２】
0004380950.tif 000003
【図３】
0004380950.tif 000004
【図４】
0004380950.tif 000005
【図５】
0004380950.tif 000006
【図６】
0004380950.tif 000007